(57)【要約】【課題】電力生成装置が提供される。【解決手段】電力生成装置は、第１部分と、第１部分の一側に配置され第１陥没部を含む第２部分と、他側に配置され第２陥没部を含む第３部分と、を含む回転体と、第１部分と向かい合う支持体と、第２部分と向かい合い第１陥没部に向かい突出した第１突出部を含む第１非回転体と、第３部分と向かい合い第２陥没部に向かい突出した第２突出部を含む第２非回転体と、第１突出部に設置され第１極性を有する第１磁石ユニットと、第１陥没部に設置され第１極性を有する第２磁石ユニットと、第２陥没部に設置され第２極性を有する第３磁石ユニットと、第２突出部に設置され第２極性を有する第４磁石ユニットと、第１部分に設置され第２極性を有する第５磁石ユニットと、支持体に設置され第１極性を有する第６磁石ユニットと、第１部分と支持体との間に配置され誘導電流が生成される導体ユニットと、を含む。【選択図】図１
2018533902.tif 000002
【特許請求の範囲】
【請求項１】
第１部分と、前記第１部分の一側に配置され、第１陥没部を含む第２部分と、前記第１部分の他側に配置され、第２陥没部を含む第３部分と、を含む回転体と、
前記第１部分と向かい合う支持体と、
前記第２部分と向かい合い、前記第１陥没部に向かって突出した第１突出部を含む第１非回転体と、
前記第３部分と向かい合い、前記第２陥没部に向かって突出した第２突出部を含む第２非回転体と、
前記第１突出部に設置され、第１極性を有する多数の第１磁石ユニットと、
前記第１陥没部に設置され、前記第１極性を有する多数の第２磁石ユニットと、
前記第２陥没部に設置され、第２極性を有する多数の第３磁石ユニットと、
前記第２突出部に設置され、前記第２極性を有する多数の第４磁石ユニットと、
前記第１部分に設置され、前記第２極性を有する多数の第５磁石ユニットと、
前記支持体に設置され、前記第１極性を有する多数の第６磁石ユニットと、
前記第１部分と前記支持体との間に配置され、誘導電流が生成される多数の導体ユニットと、
を含む、電力生成装置。
【請求項２】
前記第１磁石ユニット乃至前記第４磁石ユニットは不均衡磁力ベクトル波を有し、
前記第５磁石ユニットと前記第６磁石ユニットは均衡磁力ベクトル波を有する、請求項１に記載の電力生成装置。
【請求項３】
前記第５磁石ユニットの形状と前記第６磁石ユニットの形状とは互いに異なる、請求項２に記載の電力生成装置。
【請求項４】
前記第５磁石ユニットは台形であり、前記第６磁石ユニットは長方形である、請求項３に記載の電力生成装置。
【請求項５】
前記第１部分に設置され、前記第１極性を有する多数の第７磁石ユニットをさらに含む、請求項１に記載の電力生成装置。
【請求項６】
前記第７磁石ユニットは台形形状であり、
前記第５磁石ユニット、前記第６磁石ユニットおよび前記第７磁石ユニットは均衡磁力ベクトル波を有し、
前記第５磁石ユニットと前記第７磁石ユニットは交互に配置される、請求項５に記載の電力生成装置。
【請求項７】
前記第１部分には溝が形成され、
前記溝内には多数の前記第５磁石ユニットが配置される、請求項１に記載の電力生成装置。
【請求項８】
前記支持体には溝が形成され、
前記溝内には多数の前記第６磁石ユニットが配置され、
前記支持体には多数の導体ユニットが固定される、請求項１に記載の電力生成装置。
【請求項９】
前記回転体は軸に連結され、
前記第１陥没部は第１領域と第２領域を含み、前記第１領域は前記第２領域よりも前記軸に近く、前記第１領域の深さは前記第２領域の深さよりも深く、
前記第２陥没部は第３領域と第４領域を含み、前記第３領域は前記第４領域よりも前記軸に近く、前記第３領域の深さは前記第４領域の深さよりも深い、請求項１に記載の電力生成装置。
【請求項１０】
前記軸は前記第１非回転体および前記第２非回転体を貫通し、
前記第１突出部は第５領域と第６領域を含み、前記第５領域は前記第６領域よりも前記軸に近く、前記第５領域の高さは前記第６領域の高さよりも高く、
前記第２突出部は第７領域と第８領域を含み、前記第７領域は前記第８領域よりも前記軸に近く、前記第７領域の高さは前記第８領域の高さよりも高い、請求項９に記載の電力生成装置。
【請求項１１】
多数の前記第１磁石ユニットは、軸を中心に第１列および第２列を成して配置され、
多数の前記第２磁石ユニットは、前記軸を中心に第３列および第４列を成して配置され、
前記第１列の少なくとも一部と前記第３列の少なくとも一部とが向かい合い、前記第２列の少なくとも一部と前記第４列の少なくとも一部とが向かい合う、請求項１に記載の電力生成装置。
【請求項１２】
前記軸から前記第１列までの距離と、前記軸から前記第３列までの距離とは互いに異なる、請求項１１に記載の電力生成装置。
【請求項１３】
前記第２列をなす多数の第１磁石ユニットの数と、前記第４列をなす多数の第２磁石ユニットの数とは互いに異なる、請求項１１に記載の電力生成装置。
【請求項１４】
前記第１列をなす多数の第１磁石ユニットの数と、前記第３列をなす多数の前記第２磁石ユニットの数とは互いに同一である、請求項１３に記載の電力生成装置。
【請求項１５】
多数の前記第１磁石ユニットは、前記軸を中心に第１列、第２列および第５列を成して配置され、前記第１列、前記第２列、前記第５列の順で配置され、
多数の前記第２磁石ユニットは、前記軸を中心に第３列、第４列および第６列を成して配置され、前記第３列、前記第４列、前記第６列の順で配置され、
前記第５列の少なくとも一部と前記第６列の少なくとも一部とが向かい合い、
前記第５列をなす多数の第１磁石ユニットの数と、前記第６列をなす多数の第２磁石ユニットの数とは互いに異なる、請求項１４に記載の電力生成装置。
【請求項１６】
前記第２列をなす多数の第１磁石ユニットの数は、前記第４列をなす多数の第２磁石ユニットの数よりも小さく、
前記第５列をなす多数の第１磁石ユニットの数は、前記第６列をなす多数の第２磁石ユニットの数よりも大きい、請求項１５に記載の電力生成装置。
【請求項１７】
前記第３列、第４列および第６列をなす多数の前記第２磁石ユニットの数は、互いに同一ではなく、２つ以上の最大公約数を有する、請求項１５に記載の電力生成装置。
【請求項１８】
第１部分と、前記第１部分の一側に配置される第２部分と、前記第１部分の他側に配置される第３部分とを含む回転体と、
前記第１部分と向かい合う支持体と、
前記第２部分と向かい合う第１非回転体と、
前記第１非回転体に設置される多数の第１磁石ユニットと、
前記第２部分に設置される多数の第２磁石ユニットと、
前記第１部分に設置される多数の第５磁石ユニットと、
前記支持体に設置される多数の第６磁石ユニットと、
前記第１部分と前記支持体との間に配置され、誘導電流が生成される多数の導体ユニットと、を含み、
前記第１磁石ユニットと前記第２磁石ユニットとの間には斥力が発生し、前記第５磁石ユニットと前記第６磁石ユニットとの間には引力が発生し、
前記第１磁石ユニットおよび前記第２磁石ユニットは不均衡磁力ベクトル波を有し、前記第１磁石ユニットの中心軸と磁場軸とは位相差があり、
前記第２磁石ユニットの中心軸と磁場軸とは位相差があり、
前記第５磁石ユニットおよび前記第６磁石ユニットは均衡磁力ベクトル波を有する、電力生成装置。
【請求項１９】
軸に連結された回転体と、
前記回転体の一面と向かい合う第１非回転体と、
前記回転体に設置され、前記第１極性を有する多数の第１磁石ユニットと、
前記第１非回転体に設置され、前記第１極性を有する多数の第２磁石ユニットと、を含み、
多数の前記第１磁石ユニットは、前記軸を中心に第１列、第２列および第５列を成して配置され、前記第１列、前記第２列、前記第５列の順で配置され、
多数の前記第２磁石ユニットは、前記軸を中心に第３列、第４列及び第６列を成して配置され、前記第３列、前記第４列、前記第６列の順で配置され、
前記第１列の少なくとも一部と前記第３列の少なくとも一部とが向かい合い、前記第２列の少なくとも一部と前記第４列の少なくとも一部とが向かい合い、前記第５列の少なくとも一部と前記第６列の少なくとも一部とが向かい合い、
前記第１磁石ユニットと前記第２磁石ユニットそれぞれは不均衡磁力ベクトル波を有し、前記第１磁石ユニットの中心軸と磁場軸とは位相差があり、前記第２磁石ユニットの中心軸と磁場軸とは位相差があり、前記第３列、第４列および第６列をなす多数の前記第２磁石ユニットの数は、互いに同一ではなく、２つ以上の最大公約数を有する、電力生成装置。
【請求項２０】
軸に連結された回転体と、
前記回転体の一面と向かい合う第１非回転体と、
前記回転体に設置され、前記第１極性を有する多数の第１磁石ユニットと、
前記第１非回転体に設置され、前記第１極性を有する多数の第２磁石ユニットと、を含み、
多数の前記第１磁石ユニットは前記軸を中心に第１列、第２列および第５列を成して配置され、
多数の前記第２磁石ユニットは前記軸を中心に第３列、第４列および第６列を成して配置され、
前記第１列の少なくとも一部と前記第３列の少なくとも一部とが向かい合い、前記第２列の少なくとも一部と前記第４列の少なくとも一部とが向かい合い、前記第５列の少なくとも一部と前記第６列の少なくとも一部とが向かい合い、
前記第１磁石ユニットと前記第２磁石ユニットのそれぞれは不均衡磁力ベクトル波を有し、前記第１磁石ユニットの中心軸と磁場軸とは位相差があり、前記第２磁石ユニットの中心軸と磁場軸とは位相差があり、
前記第１列をなす多数の第１磁石ユニットの数と、前記第３列をなす多数の前記第２磁石ユニットの数とは互いに同一であり、
前記第２列をなす多数の第１磁石ユニットの数は、前記第４列をなす多数の第２磁石ユニットの数よりも小さく、
前記第５列をなす多数の第１磁石ユニットの数は、前記第６列をなす多数の第２磁石ユニットの数よりも大きい、電力生成装置。
【発明の詳細な説明】
【技術分野】
【０００１】
本発明は、永久磁石を利用した電力生成装置に関する。
【背景技術】
【０００２】
従来の発電機の駆動源（すなわち、駆動モーター）は、各メーカーの条件に応じて駆動容量および回転数が定められている。よって、発電機の定格出力を発生するために、駆動モーターの出力はモーター発電機の出力の約３倍程度にならなければならない。このため、発電総効率が低下し、エネルギーの無駄遣いが激しい。
【発明の概要】
【発明が解決しようとする課題】
【０００３】
本発明が解決しようとする課題は、エネルギーの高効率化を図ることができる電力生成装置を提供することである。
【０００４】
本発明が解決しようとする課題は上述した課題に制限されず、上述していない他の課題は以降の記載から当業者に明確に理解できるだろう。
【課題を解決するための手段】
【０００５】
上記の課題を解決するための本発明の一態様によれば、第１部分と、前記第１部分の一側に配置され、第１陥没部を含む第２部分と、前記第１部分の他側に配置され、第２陥没部を含む第３部分と、を含む回転体と、前記第１部分と向かい合う支持体と、前記第２部分と向かい合い、前記第１陥没部に向かって突出した第１突出部を含む第１非回転体と、前記第３部分と向かい合い、前記第２陥没部に向かって突出した第２突出部を含む第２非回転体と、前記第１突出部に設置され、第１極性を有する多数の第１磁石ユニットと、前記第１陥没部に設置され、前記第１極性を有する多数の第２磁石ユニットと、前記第２陥没部に設置され、第２極性を有する多数の第３磁石ユニットと、前記第２突出部に設置され、前記第２極性を有する多数の第４磁石ユニットと、前記第１部分に設置され、前記第２極性を有する多数の第５磁石ユニットと、前記支持体に設置され、前記第１極性を有する多数の第６磁石ユニットと、前記第１部分と前記支持体との間に配置され、誘導電流が生成される多数の導体ユニットと、を含む、電力生成装置を提供する。
【０００６】
前記第１磁石ユニット乃至前記第４磁石ユニットは不均衡磁力（磁気）ベクトル波を有し、前記第５磁石ユニットと前記第６磁石ユニットは均衡磁力ベクトル波を有する。
【０００７】
前記第５磁石ユニットの形状と前記第６磁石ユニットの形状とは互いに異なる。
【０００８】
前記第５磁石ユニットは台形であり、前記第６磁石ユニットは長方形である。
【０００９】
前記第１部分に設置され、前記第１極性を有する多数の第７磁石ユニットをさらに含む。
【００１０】
前記第７磁石ユニットは台形であり、前記第５磁石ユニット、前記第６磁石ユニットおよび前記第７磁石ユニットは均衡磁力ベクトル波を有し、前記第５磁石ユニットと前記第７磁石ユニットは交互に配置できる。
【００１１】
前記第１部分には溝が形成され、前記溝内には多数の前記第５磁石ユニットを配置できる。
【００１２】
前記支持体には溝が形成され、前記溝内には多数の前記第６磁石ユニットが配置され、前記支持体には多数の導体ユニットが固定できる。
【００１３】
前記回転体は軸に連結され、前記第１陥没部は第１領域と第２領域を含み、前記第１領域は前記第２領域よりも前記軸に近く、前記第１領域の深さは前記第２領域の深さよりも深く、前記第２陥没部は第３領域と第４領域を含み、前記第３領域は前記第４領域よりも前記軸に近く、前記第３領域の深さは前記第４領域の深さよりも深くできる。
【００１４】
前記軸は前記第１非回転体および前記第２非回転体を貫通し、前記第１突出部は第５領域と第６領域を含み、前記第５領域は前記第６領域よりも前記軸に近く、前記第５領域の高さは前記第６領域の高さよりも高く、前記第２突出部は第７領域と第８領域を含み、前記第７領域は前記第８領域よりも前記軸に近く、前記第７領域の高さは前記第８領域の高さよりも高くできる。
【００１５】
多数の前記第１磁石ユニットは、軸を中心に第１列および第２列を成して配置され、多数の前記第２磁石ユニットは、前記軸を中心に第３列および第４列を成して配置され、前記第１列の少なくとも一部と前記第３列の少なくとも一部とが向かい合い、前記第２列の少なくとも一部と前記第４列の少なくとも一部とが向かい合うことができる。
【００１６】
前記軸から前記第１列までの距離と、前記軸から前記第３列までの距離とは互いに異なることができる。
【００１７】
前記第２列をなす多数の第１磁石ユニットの数と、前記第４列をなす多数の第２磁石ユニットの数とは互いに異なることができる。
【００１８】
前記第１列をなす多数の第１磁石ユニットの数と、前記第３列をなす多数の前記第２磁石ユニットの数とは互いに同一であり得る。
【００１９】
多数の前記第１磁石ユニットは、前記軸を中心に第１列、第２列および第５列を成して配置され、前記第１列、前記第２列、前記第５列の順で配置され、多数の前記第２磁石ユニットは、前記軸を中心に第３列、第４列および第６列を成して配置され、前記第３列、前記第４列、前記第６列の順で配置され、前記第５列の少なくとも一部と前記第６列の少なくとも一部とが向かい合い、前記第５列をなす多数の第１磁石ユニットの数と、前記第６列をなす多数の第２磁石ユニットの数とは互いに異なることができる。
【００２０】
前記第２列をなす多数の第１磁石ユニットの数は、前記第４列をなす多数の第２磁石ユニットの数よりも小さく、前記第５列をなす多数の第１磁石ユニットの数は、前記第６列をなす多数の第２磁石ユニットの数よりも大きくできる。
【００２１】
前記第３列、第４列および第６列をなす多数の前記第２磁石ユニットの数は、互いに同一ではなく、２つ以上の最大公約数を有する。
【００２２】
上記の課題を解決するための本発明の他の態様によれば、第１部分と、前記第１部分の一側に配置される第２部分と、前記第１部分の他側に配置される第３部分と、を含む回転体と、前記第１部分と向かい合う支持体と、前記第２部分と向かい合う第１非回転体と、前記第１非回転体に設置される多数の第１磁石ユニットと、前記第２部分に設置される多数の第２磁石ユニットと、前記第１部分に設置される多数の第５磁石ユニットと、前記支持体に設置される多数の第６磁石ユニットと、前記第１部分と前記支持体との間に配置され、誘導電流が生成される多数の導体ユニットと、を含み、前記第１磁石ユニットと前記第２磁石ユニットとの間には斥力が発生し、前記第５磁石ユニットと前記第６磁石ユニットとの間には引力が発生し、前記第１磁石ユニットおよび前記第２磁石ユニットは不均衡磁力ベクトル波を有し、前記第１磁石ユニットの中心軸と磁場（磁気）軸とは位相差があり、前記第２磁石ユニットの中心軸と磁場軸とは位相差があり、前記第５磁石ユニットおよび前記第６磁石ユニットは均衡磁力ベクトル波を有する、電力生成装置を提供する。
【００２３】
上記の課題を解決するための本発明の他の態様によれば、軸に連結された回転体と、前記回転体の一面と向かい合う第１非回転体と、前記回転体に設置され、前記第１極性を有する多数の第１磁石ユニットと、前記第１非回転体に設置され、第１極性を有する多数の第２磁石ユニットと、を含み、多数の前記第１磁石ユニットは、前記軸を中心に第１列、第２列および第５列を成して配置され、前記第１列、前記第２列、前記第５列の順で配置され、多数の前記第２磁石ユニットは、前記軸を中心に第３列、第４列および第６列を成して配置され、前記第３列、前記第４列、前記第６列の順で配置され、前記第１列の少なくとも一部と前記第３列の少なくとも一部とが向かい合い、前記第２列の少なくとも一部と前記第４列の少なくとも一部とが向かい合い、第５列の少なくとも一部と前記第６列の少なくとも一部とが向かい合い、前記第１磁石ユニットと前記第２磁石ユニットのそれぞれは不均衡磁力ベクトル波を有し、前記第１磁石ユニットの中心軸と磁場軸とは位相差があり、前記第２磁石ユニットの中心軸と磁場軸とは位相差があり、前記第３列、第４列および第６列をなす多数の前記第２磁石ユニットの数は、互いに同一ではなく、２つ以上の最大公約数を有する、電力生成装置を提供する。
【００２４】
上記の課題を解決するための本発明の他の態様によれば、軸に連結された回転体と、前記回転体の一面と向かい合う第１非回転体と、前記回転体に設置され、前記第１極性を有する多数の第１磁石ユニットと、前記第１非回転体に設置され、第１極性を有する多数の第２磁石ユニットと、を含み、多数の前記第１磁石ユニットは前記軸を中心に第１列、第２列および第５列を成して配置され、多数の前記第２磁石ユニットは前記軸を中心に第３列、第４列および第６列を成して配置され、前記第１列の少なくとも一部と前記第３列の少なくとも一部とが向かい合い、前記第２列の少なくとも一部と前記第４列の少なくとも一部とが向かい合い、前記第５列の少なくとも一部と前記第６列の少なくとも一部とが向かい合い、前記第１磁石ユニットと前記第２磁石ユニットのそれぞれは不均衡磁力ベクトル波を有し、前記第１磁石ユニットの中心軸と磁場軸とは位相差があり、前記第２磁石ユニットの中心軸と磁場軸とは位相差があり、前記第１列をなす多数の第１磁石ユニットの数と、前記第３列をなす多数の前記第２磁石ユニットの数とは互いに同一であり、前記第２列をなす多数の第１磁石ユニットの数は前記第４列をなす多数の第２磁石ユニットの数よりも小さく、前記第５列をなす多数の第１磁石ユニットの数は前記第６列をなす多数の第２磁石ユニットの数よりも大きい、電力生成装置を提供する。
【００２５】
本発明のその他の具体的な事項は詳細な説明および図面に含まれている。
【図面の簡単な説明】
【００２６】
【図１】本発明の幾つかの実施形態に係る電力生成装置を説明するための断面図である。
【図２】図１の回転体の形状を説明するための図である。
【図３】図１の第１非回転体を説明する図であって、回転体の第２部分と向かい合う面を説明するための図である。
【図４】図３の非回転体に設置された多数の第１磁石ユニットの関係を説明するための概念図である。
【図５ａ】図３の非回転体に設置された第１磁石ユニットの磁場を説明するための概念図である。
【図５ｂ】図３の非回転体に設置された第１磁石ユニットの磁場を説明するための概念図である。
【図６】図３の非回転体に設置された第１磁石ユニットの磁場を説明するための概念図である。
【図７】図１の回転体の第２部分を説明するための図である。
【図８】図７の回転体に設置された多数の第２磁石ユニットの関係を説明するための概念図である。
【図９】第５磁石ユニットと第６磁石ユニットと導体ユニットとの関係を概略的に説明するための図である。
【図１０】回転体の第１部分に設置された多数の第５磁石ユニットを示す図である。
【図１１】支持体に設置された多数の第６磁石ユニットを示す図である。
【図１２ａ】第５磁石ユニットの磁場を説明するための概念図である。
【図１２ｂ】第５磁石ユニットの磁場を説明するための概念図である。
【図１３】第５磁石ユニットおよび／または第７磁石ユニットの配置を説明するための概念図である。
【図１４】第５磁石ユニットおよび／または第７磁石ユニットの配置を説明するための概念図である。
【図１５】第５磁石ユニットおよび／または第７磁石ユニットの配置を説明するための概念図である。
【図１６】磁場トルネードおよび磁場サイクロンを説明するための図である。
【図１７】本発明の幾つかの実施形態に係る電力生成装置の駆動方法（磁場サーフィン）を説明するための図である。
【図１８】本発明の他の実施形態に係る電力生成装置を説明する図である。
【図１９】本発明の他の実施形態に係る電力生成装置を説明する図であって、第１非回転体を説明する図である。
【図２０】図１９の非回転体に設置された多数の第１磁石ユニットの関係を説明するための概念図である。
【図２１】本発明の他の実施形態に係る電力生成装置を説明する図であって、回転体を説明する図である。
【図２２】図２１の非回転体に設置された多数の第２磁石ユニットの関係を説明するための概念図である。
【図２３】本発明の他の実施形態に係る電力生成装置の斜視図である。
【図２４】本発明の他の実施形態に係る電力生成装置の側面図である。
【図２５】図２４のＡ−Ａに沿った断面図である。
【図２６】本発明の幾つかの実施形態に係る駆動システムに適用できる磁石ユニットの形状を説明するための図である。
【図２７】本発明の幾つかの実施形態に係る駆動システムに適用できる磁石ユニットの形状を説明するための図である。
【図２８】本発明の幾つかの実施形態に係る駆動システムに適用できる磁石ユニットの形状を説明するための図である。
【発明を実施するための形態】
【００２７】
本発明の利点、特徴、これらを達成する方法は、添付する図面と共に詳細に後述されている実施形態を参照すると明確になるだろう。しかし、本発明は、以下で開示する実施形態に限定されるものではなく、互いに異なる多様な形態で実現される。但し、本実施形態は、単に本発明の開示を完全にし、本発明の属する技術分野における通常の知識を有する者に発明の範疇を完全に知らせるために提供されるものである。本発明は、特許請求の範囲によってのみ定義される。明細書全体にかけて、同一の参照符号は同一の構成要素を指す。
【００２８】
一つの素子（ｅｌｅｍｅｎｔｓ）が他の素子に「接続されている（ｃｏｎｎｅｃｔｅｄ  ｔｏ）または「カップリングされている（ｃｏｕｐｌｅｄ  ｔｏ）」と言及された場合、他の素子に直接接続またはカップリングされていることも、それらの間に他の素子が介在することも意味されると理解されるべきである。一方、一つの素子が他の素子に「直接接続されている（ｄｉｒｅｃｔｌｙ  ｃｏｎｎｅｃｔｅｄ  ｔｏ）」または「直接カップリングされている（ｄｉｒｅｃｔｌｙ  ｃｏｕｐｌｅｄ  ｔｏ）」と言及された場合、それらの間に別の素子が介在していないと理解されるべきである。明細書全体にかけて、同一の参照符号は同一の構成要素を指す。「および／または」は言及されたアイテムのそれぞれおよび一つ以上のすべての組み合わせを含む。
【００２９】
例えば、「第１」、「第２」などの用語は多様な素子、構成要素および／またはセクションを叙述するために使用されるが、これらの素子、構成要素および／またはセクションはこれらの用語によって限定されない。これらの用語は、一つの素子、構成要素またはセクションを他の素子、構成要素またはセクションから区別する目的のみで使用される。よって、以下で言及される第１素子、第１構成要素または第１セクションは、本発明の技術的思想内で第２素子、第２構成要素または第２セクションであることもある。
【００３０】
本明細書で使用される用語は、実施形態を説明するためのものであり、本発明を限定するものではない。本明細書において、単数の表現は、文脈上特に言及しない限り、複数の表現も含む。明細書で使用される「含む（ｃｏｍｐｒｉｓｅｓ）」および／または「有する（ｃｏｍｐｒｉｓｉｎｇ）」などの用語は、言及された構成要素、段階、動作および／または素子が一つ以上の他の構成要素、段階、動作および／または素子の存在または追加を排除しない。
【００３１】
他に定義しない限り、本明細書で使用されるすべての用語（技術的および科学的用語を含む）は、本発明の属する技術分野における通常の知識を有する者であれば共通的に理解できる意味として使用され得る。また、一般に使用される辞典に定義されている用語は、明白に特別に定義されていない限り、理想的にまたは過度に解釈されない。
【００３２】
図１は本発明の幾つかの実施形態に係る電力生成装置を説明するための断面図である。図２は図１の回転体の形状を説明するための図である。
【００３３】
まず、図１を参照すると、本発明の幾つかの実施形態に係る電力生成装置は、軸１１０、回転体１２０、支持体（ｓｕｐｐｏｒｔｅｒ）３７０、第１非回転体１７０、第２非回転体１７１、多数の第１磁石ユニット２７１、２７２、２７５、多数の第２磁石ユニット２２１、２２２、２２５、多数の第３磁石ユニット２２１ａ、２２２ａ、２２５ａ、多数の第４磁石ユニット２７１ａ、２７２ａ、２７５ａ、多数の第５磁石ユニット３２１、多数の第６磁石ユニット３７１、多数の導体ユニット３９１、電源供給部１９０、モーター１９２、制御部１９９などを含む。
【００３４】
軸１１０は、第１非回転体１７０、第２非回転体１７１、回転体１２０を貫通するように形成できる。回転体１２０は、軸１１０に連結されており、軸１１０の回転に伴って一緒に回転することができる。電源供給部１９０は、例えばモーター１９２に電源を供給し、モーター１９２によって回転体１２０は回転することができる。第１非回転体１７０、第２非回転体１７１は、軸１１０の回転とは関係なく回転しない。よって、図面とは異なり、軸１１０が回転体１２０のみ貫通し、第１非回転体１７０、第２非回転体１７１は貫通しないことがある。
【００３５】
また、回転体１２０の両側に（すなわち、上、下に）第１非回転体１７０と第２非回転体１７１を配置できる。図１では、例示的に、１つの回転体１２０と２つの非回転体１７０、１７１を示したが、これに限定されるものではない。
【００３６】
回転体１２０は、図２に示すように、第１部分１２１乃至第３部分１２３を含む。第２部分１２２は第１部分１２１の一側に配置され、第３部分１２３は第１部分１２１の他側に配置され得る。例えば、第１部分１２１は側面であり、第２部分１２２は上面であり、第３部分１２３は下面であり得る。
一方、第２部分１２２には第１陥没部１１２０が形成され、第３部分１２３には第２陥没部１１２１が形成され得る。図示のように、第１陥没部１１２０は第２部分１２２の全体面に形成されてもよく、第２部分１２２の一部の面に形成されてもよい。第２陥没部１１２１は、第３部分１２３の全体面に形成されてもよく、第３部分１２３の一部の面に形成されてもよい。
【００３７】
また、第１陥没部１１２０は、軸１１０に近いほど深くなる形状であり得る。第１陥没部１１２０は傾斜した形状であり得る。第１陥没部１１２０の表面Ｓ２と第２部分１２２の仮想面Ｐ２とは鋭角θをなすことができる。ここで、第２部分１２２の仮想面Ｐ２は回転体１２０の中心面Ｐ１と平行であり得る。言い換えれば、第１陥没部１１２０は第１領域と第２領域を含み、第１領域は第２領域よりも軸１１０に近く、第１領域の深さは第２領域の深さよりも深くできる。
【００３８】
第２陥没部１１２１も、軸１１０に近いほど深くなる形状であり得る。第２陥没部１１２１は傾斜した形状であり得る。または、第２陥没部１１２１は第３領域と第４領域を含み、第３領域は第４領域よりも軸１１０に近く、第３領域の深さは第４領域の深さよりも深くできる。
【００３９】
一方、第１部分１２１は、図示のように、円筒（ｃｙｌｉｎｄｅｒ）形状であってもよく、図示とは異なり、多角形のプリズム（ｐｏｌｙｇｏｎａｌ  ｐｒｉｓｍ）形状であってもよい。
【００４０】
再び図１を参照すると、支持体３７０は、第１部分１２１と向かい合うように配置される。支持体３７０は、第１部分１２１の少なくとも一部を取り囲むように配置できる。
【００４１】
また、第１非回転体１７０は、第２部分１２２と向かい合うように配置される。第１非回転体１７０は、円錐台（ｔｒｕｎｃａｔｅｄ  ｃｏｎｅ）形状であり得る。第１非回転体１７０には、第１陥没部１１２０（または第２部分１２２）に向かって突出した第１突出部１１７０を含む。第１突出部１１７０は、第１非回転体１７０の全体面に形成されてもよく、一部の面に形成されてもよい。第１突出部１１７０は、軸１１０に近いほど上がる形状であり得る。第１突出部１１７０は第５領域と第６領域を含み、第５領域は第６領域よりも軸１１０に近く、第５領域の高さは第６領域の高さよりも高くできる。
【００４２】
第２非回転体１７１は、第３部分１２３と向かい合うように配置される。第２非回転体１７１は円錐台形状であり得る。第２非回転体１７１には、第２陥没部１１２１（または第３部分１２３）に向かって突出した第２突出部１１７１を含む。第２突出部１１７１は、第２非回転体１７１の全体面に形成されてもよく、一部の面に形成されてもよい。第２突出部１１７１は、軸１１０に近いほど上がる形状であり得る。第２突出部１１７１は第７領域と第８領域を含み、第７領域は第８領域よりも軸１１０に近く、第７領域の高さは第８領域の高さよりも高くできる。
【００４３】
または、図示とは異なり、第１非回転体１７０または第２非回転体１７１は、截頭多角錐状（ｔｒｕｎｃａｔｅｄ  ｐｏｌｙｇｏｎａｌ  ｐｙｒａｍｉｄ）であってもよい。
【００４４】
また、多数の第１磁石ユニット２７１、２７２、２７５は、第１非回転体１７０（すなわち、第１突出部１１７０）上に配置される。多数の第１磁石ユニット２７１、２７２、２７５は、軸１１０を中心に多数の列（例えば、３つの列）をなすことができる。第１磁石ユニット２７１、２７２、２７５は第１極性（例えば、Ｎ極）を有する。
【００４５】
多数の第２磁石ユニット２２１、２２２、２２５は、回転体１２０（すなわち、第２部分１２２または第１陥没部１１２０）上に配置される。多数の第２磁石ユニット２２１、２２２、２２５は、軸１１０を中心に多数の列（例えば、３つの列）をなすことができる。第２磁石ユニット２２１、２２２、２２５は、第１極性（例えば、Ｎ極）を有する。
【００４６】
多数の第３磁石ユニット２２１ａ、２２２ａ、２２５ａは、回転体１２０（すなわち、第３部分１２３または第２陥没部１１２１）上に配置される。多数の第３磁石ユニット２２１ａ、２２２ａ、２２５ａは、軸１１０を中心に多数の列（例えば、３つの列）をなすことができる。第３磁石ユニット２２１ａ、２２２ａ、２２５ａは、第２極性（例えば、Ｓ極）を有する。
【００４７】
多数の第４磁石ユニット２７１ａ、２７２ａ、２７５ａは、第２非回転体１７１（すなわち、第２突出部１１７１）上に配置される。多数の第４磁石ユニット２７１ａ、２７２ａ、２７５ａは、軸１１０を中心に多数の列（例えば、３つの列）をなすことができる。第４磁石ユニット２７１ａ、２７２ａ、２７５ａは、第２極性（例えば、Ｓ極）を有する。
【００４８】
多数の第１磁石ユニット２７１、２７２、２７５と多数の第２磁石ユニット２２１、２２２、２２５との間に斥力が発生し、多数の第３磁石ユニット２２１ａ、２２２ａ、２２５ａと多数の第４磁石ユニット２７１ａ、２７２ａ、２７５ａとの間に斥力が発生する。
【００４９】
多数の第１磁石ユニット２７１、２７２、２７５、多数の第４磁石ユニット２７１ａ、２７２ａ、２７５ａの例示的配置については図３および図４を参照して後述する。多数の第２磁石ユニット２２１、２２２、２２５、多数の第３磁石ユニット２２１ａ、２２２ａ、２２５ａの例示的配置については図７および図８を参照して後述する。
【００５０】
多数の第５磁石ユニット３２１は、第１部分１２１に設置される。第５磁石ユニット３２１は、一つの列を成すことも、多数の列をなすこともできる。第５磁石ユニット３２１は、第２極性（例えば、Ｓ極）であり得る。多数の第５磁石ユニット３２１は第１部分１２１の表面に設置されてもよい。または、第１部分１２１に溝が形成されており、その溝内には多数の第５磁石ユニット３２１が配置されてもよい。
【００５１】
多数の第６磁石ユニット３７１は、支持体３７０に設置される。第６磁石ユニット３７１は、一つの列をなしてもよく、多数の列をなしてもよい。第６磁石ユニット３７１は、第１極性（例えば、Ｎ極）であり得る。支持体３７０には溝が形成されており、その溝内には多数の第６磁石ユニット３７１が配置されてもよい。または、多数の第６磁石ユニット３７１は、支持体３７０の表面に配置されてもよい。
【００５２】
多数の第５磁石ユニット３２１の少なくとも一部と多数の第６磁石ユニット３７１の少なくとも一部とは互いに向かい合うことができる。多数の第５磁石ユニット３２１と多数の第６磁石ユニット３７１との間に引力が発生する。
【００５３】
多数の導体ユニット３９１は、第１部分１２１と支持体３７０との間に配置される。具体的には、多数の導体ユニット３９１は、複数の第５磁石ユニット３２１と多数の第６磁石ユニット３７１との間に配置できる。導体ユニット３９１は、銅、アルミニウム、金、銀、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）などの導電物質であればいずれのものでも可能である。または、導体ユニット３９１は、例えば、金属に導線が巻かれている形態であり得る。
【００５４】
回転体１２０が回転するにつれて、多数の第５磁石ユニット３２１も回転し、多数の第５磁石ユニット３２１と多数の第６磁石ユニット３７１によって発生する引力内に多数の導体ユニット３９１が配置されるので、多数の導体ユニット３９１には誘導電流を生成できる。多数の導体ユニット３９１は、例えば、支持体３７０によって支持／固定できる。
【００５５】
多数の第５磁石ユニット３２１、多数の第６磁石ユニット３７１、多数の導体ユニット３９１の例示的配置については、図９乃至図１５を参照して後述する。
【００５６】
一方、第１非回転体１７０または第２非回転体１７１は、軸１１０の延長方向に沿って移動可能である（符号Ｄ１、Ｄ２を参照）。第１非回転体１７０または第２非回転体１７１は、例えば、電気、油圧、圧縮空気などを利用したアクチュエータ（ａｃｔｕａｔｏｒ）を用いて移動させることもでき、ギアなどを利用した機械的な方式を用いて移動させることもできる。第１非回転体１７０または第２非回転体１７１を移動させることができれば、いずれの方式でも可能である。
【００５７】
具体的には、第１非回転体１７０と第２部分１２２との間の間隔を調節することにより、多数の第１磁石ユニット２７１、２７２、２７５と多数の第２磁石ユニット２２１、２２２、２２５との間で生じる斥力の大きさを調節することができる。同様に、第２非回転体１７１と第３部分１２３との間の間隔を調節することにより、多数の第３磁石ユニット２２１ａ、２２２ａ、２２５ａと多数の第４磁石ユニット２７１ａ、２７２ａ、２７５ａとの間で生じる斥力の大きさを調節することができる。
【００５８】
第１非回転体１７０と第２部分１２２との間の間隔と、第２非回転体１７１と第３部分１２３との間の間隔とは、同一に制御することも、それぞれが異なるように制御することもできる。第１非回転体１７０と第２部分１２２との間の間隔および第２非回転体１７１と第３部分１２３との間の間隔の組み合わせによって、回転体１２０の速度を必要な大きさに制御することができる。
【００５９】
一方、本発明の幾つかの実施形態に係る電力生成装置において、第１磁石ユニット２７１、２７２、２７５、第２磁石ユニット２２１、２２２、２２５、第６磁石ユニット３７１は第１極性（例えば、Ｎ極）を有し、第３磁石ユニット２２１ａ、２２２ａ、２２５ａ、第４磁石ユニット２７１ａ、２７２ａ、２７５ａ、第５磁石ユニット３２１は第２極性（例えば、Ｓ極）を有すると説明したが、これに限定されない。すなわち、第２部分１２２と第１非回転体１７０との間（すなわち、第１磁石ユニット２７１、２７２、２７５と第２磁石ユニット２２１、２２２、２２５との間）に斥力が生成され、第３部分１２３と第２非回転体１７１との間（すなわち、第３磁石ユニット２２１ａ、２２２ａ、２２５ａと第４磁石ユニット２７１ａ、２７２ａ、２７５ａとの間）に斥力が発生することさえできれば、極性に限定されない。同様に、第５磁石ユニット３２１と第６磁石ユニット３７１との間に引力が発生することさえできれば、極性に限定されない。
【００６０】
別途図示していないが、磁力シールド（ｍａｇｎｅｔｉｃ  ｓｈｉｅｌｄ）が電力生成装置の内部および／または外部に設置されるため、電力生成装置の内部で発生した磁力が外部に影響を及ぼさないようにシールド（ｓｈｉｅｌｄｉｎｇ）する役割をする。
【００６１】
一方、軸１１０には電源供給部１９０が電気的に接続される。また、電源供給部１９０を制御する制御部１９９が接続される。電源供給部１９０は、電源を例えばモーター１９２に供給し、モーター１９２の回転に伴って軸１１０が回転し、軸１１０が回転するにつれて回転体１２０は回転する。電源供給部１９０はバッテリー（ｂａｔｔｅｒｙ）であり得るが、これに限定されない。バッテリーを使用することにより、電力生成装置は、移動／設置が容易であり、場所を問わずに容易に使用することができる。また、後述するように、バッテリーの使用が多くないので、少ない容量のバッテリーでも長時間使用することができる。
【００６２】
一方、本発明の幾つかの実施形態に係る電力生成装置において、電源供給部１９０は、モーター１９２の電源を供給し、モーター１９２が回転体１２０を所定の回転速度または所定の時間、例えば１０００〜３０００回回転させる間に電源を提供する。回転体１２０が所定の回転速度で回転すると（所定の時間だけ回転させた後に）、回転体１２０に他の電源を所定の区間の間供給しないことができる。電源を供給しない「所定の区間」は固定された時間であってもよく、回転体１２０の回転速度に応じて変更される時間であってもよい。他の電源を供給しない期間の間に、回転体１２０は、磁場サーフィン（ｍａｇｎｅｔｉｃ  ｆｉｅｌｄ  ｓｕｒｆｉｎｇ）動作を利用して継続的に回転することができる。すなわち、磁場サーフィンによって、回転体１２０は（磁場サーフィンを使用しない回転体に比べて）長い間回転することができる。電源を供給しない期間を増やすことができる。
【００６３】
磁場サーフィンは、海の波を利用するウィンドサーフィンと類似の概念であって、磁石の磁力分布波をベクトルとするとき、固定磁力ベクトル波を回転磁力ベクトル波でサーフィンすることである。例えば、第１非回転体１７０に設置された多数の第１磁石ユニット２７１、２７２、２７５と、回転体１２０に設置された多数の第２磁石ユニット２２１、２２２、２２５との間に発生する磁場の相対的位相差を利用して、磁場サーフィンを行うことができる。同様に、第２非回転体１７１に設置された多数の第４磁石ユニット２７１ａ、２７２ａ、２７５ａと、回転体１２０に設置された多数の第３磁石ユニット２２１ａ、２２２ａ、２２５ａとの間に発生する磁場の相対的位相差を利用して、磁場サーフィンを行うことができる。
【００６４】
また、回転体１２０が所定の速度よりも遅く回転するか、或いは所定の時間後には、再び電源供給部１９０はモーター１９２に電源を供給することができる。これにより、さらに回転体１２０は再び所定の速度で回転する。このように、回転体１２０が回転する間、電源供給部１９０は、電源の供給／遮断を繰り返すこともできる。たとえば、特定の周期に応じて電源の供給／遮断を繰り返すこともできる。または、非周期的に、例えば、回転体１２０の速度を基準に、電源の供給／遮断を繰り返すこともできる。例えば、速度センサーなどを用いて回転体１２０の回転程度をチェックし、チェックされた結果に応じて電源の供給／遮断を繰り返すことができる。
【００６５】
一方、回転体１２０のサーフィン動作が円滑でない場合（または所望の程度のサーフィン動作が行われない場合）には、回転体１２０と非回転体１７０、１７１との間隔を調整して再び試みることができる。このような間隔は、回転体１２０のサーフィン動作に重要な影響を及ぼす要素である。回転体１２０と非回転体１７０、１７１との間の間隔が狭くなるほど斥力が強くなる。回転体１２０と非回転体１７０、１７１との間の間隔が特定の値になると、小さな電源でも速い速度を出すこともできる。
【００６６】
一方、多数の第５磁石ユニット３２１と多数の第６磁石ユニット３７１との間で引力が発生する。ところが、回転体１２０が回転し、磁場サーフィンが進むにつれて、多数の第５磁石ユニット３２１と多数の第６磁石ユニット３７１によって発生する引力内に多数の導体ユニット３９１が配置されるので、多数の導体ユニット３９１には誘導電流を生成できる。その結果、電力を生成できる。生成された電力は外部へ出力されることも可能である。または、生成された電力の一部は電源供給部１９０に再び貯蔵されることも可能である。
【００６７】
以下、図３乃至図１１を参照して、磁場サーフィン動作（ｍａｇｎｅｔｉｃ  ｆｉｅｌｄ  ｓｕｒｆｉｎｇ）をより具体的に説明する。
【００６８】
まず、図３乃至図６を参照して、第１非回転体１７０を説明する。図３は図１の第１非回転体を説明する図であって、回転体の第２部分と向かい合う面を説明するための図である。図４は図３の非回転体に設置された多数の第１磁石ユニットの関係を説明するための概念図である。図５ａ、図５ｂおよび図６は図３の第１非回転体に設置された第１磁石ユニットの磁場を説明するための概念図である。
【００６９】
まず図３を参照すると、第１非回転体１７０上には多数の第１磁石ユニット２７１、２７２、２７５が配置される。多数の第１磁石ユニット２７１、２７２、２７５は、軸１１０を中心に多数の列Ｌ１、Ｌ２、Ｌ３を成すことができる。したがって、例えば、軸１１０から第１列Ｌ１までの距離は、軸１１０から第２列Ｌ２までの距離よりも短い。図３では、３つの列Ｌ１、Ｌ２、Ｌ３を示したが、これに限定されない。多数の第１磁石ユニット２７１、２７２、２７５は、複数の列を成せばよく、例えば、４つ以上の列であってもよい。
【００７０】
各列Ｌ１、Ｌ２、Ｌ３には、互いに離隔した複数の第１磁石ユニット２７１、２７２、２７５が配置される。具体的には、第１列Ｌ１に配置された多数の第１磁石ユニット２７１の数と、第２列Ｌ２に配置された多数の第１磁石ユニット２７２の数とは同一であってもよい。例えば、各列Ｌ１、Ｌ２、Ｌ３には１４個の第１磁石ユニット２７１、２７２、２７５が配置され得る。１４個の第１磁石ユニット２７１、２７２、２７５を図示したが、これに限定されない。たとえば、１１個乃至２４個の第１磁石ユニットが配置されてもよい。
【００７１】
一方、各列Ｌ１、Ｌ２、Ｌ３に同数の第１磁石ユニット２７１、２７２、２７５が配置されるものと図示したが、これに限定されない。設計によっては、互いに異なる数の第１磁石ユニット２７１、２７２、２７５が配置され得る。例えば、第１列Ｌ１は、軸１１０と直接接する列なので、スペース上の制約があれば、第１磁石ユニット２７１の数がより少なくてもよい。
【００７２】
また、図３に示すように、各列Ｌ１、Ｌ２、Ｌ３に配置された多数の第１磁石ユニット２７１、２７２、２７５間の間隔Ｗ１、Ｗ２、Ｗ３は、互いに異なり得る。例えば、第２列Ｌ２に配置された多数の第１磁石ユニット２７２間の間隔Ｗ２は、第１列Ｌ１に配置された多数の第１磁石ユニット２７１間の間隔Ｗ１よりも広くできる。
【００７３】
また、第１列Ｌ１と第２列Ｌ２との間の第１距離Ｐ１と、第２列Ｌ２と第３列Ｌ３との間の第２距離Ｐ２とは互いに同一であり得るが、これに限定されない。設計によっては、第１距離Ｐ１と第２距離Ｐ２とは互いに異なってもよい。
【００７４】
一方、図４に示すように、第１列Ｌ１の第１磁石ユニット２７１の中心軸ＣＬ、第２列Ｌ２の第１磁石ユニット２７２の中心軸ＣＬ、および第３列Ｌ３の第１磁石ユニット２７５の中心軸ＣＬは互いに並んでいることができる。言い換えれば、各列Ｌ１、Ｌ２、Ｌ３の第１磁石ユニット２７１、２７２、２７５を同じ位相に配置できる。または、第１列Ｌ１の第１磁石ユニット２７１の中心軸ＣＬ、第２列Ｌ２の第１磁石ユニット２７２の中心軸ＣＬ、および第３列Ｌ３の第１磁石ユニット２７５の中心軸ＣＬは０の位相差を有する。または、各列Ｌ１、Ｌ２、Ｌ３の第１磁石ユニット２７１、２７２、２７５の配置は、列Ｌ４、Ｌ５、Ｌ６の第２磁石ユニット２２１、２２２、２２５の配置とは異なり、第１位相差を有することができる。例えば、第１位相差は０であり得るが、これに限定されない。
【００７５】
また、各列Ｌ１、Ｌ２、Ｌ３に配置された第１磁石ユニット２７１、２７２、２７５のサイズは互いに異なり得る。第１列Ｌ１の第１磁石ユニット２７１のサイズよりも第２列Ｌ２の第１磁石ユニット２７２のサイズが大きくてもよい。第２列Ｌ２の第１磁石ユニット２７２のサイズよりも第３列Ｌ３の第１磁石ユニット２７５のサイズが大きくてもよい。また、各列（例えばＬ１）内に配置された第１磁石ユニット２７１のサイズは互いに同一であってもよい。
【００７６】
また、軸１１０を中心に外方へ向かう２本の直線ａ１、ａ２を引いたとき、第１列Ｌ１の第１磁石ユニット２７１、第２列Ｌ２の第１磁石ユニット２７２、第３列Ｌ３の第１磁石ユニット２７５は２本の直線ａ１、ａ２にすべて接することができる。ここで、２本の直線ａ１、ａ２に接するという意味は、第１磁石ユニット２７１、２７２、２７５の側壁と２本の直線ａ１、ａ２とがオーバーラップするという意味である。一方、設計によっては、直線ａ１、ａ２は第１磁石ユニット２７１、２７２、２７５の側壁全体とオーバーラップしなくてもよい（図２０参照）。
【００７７】
一方、各列Ｌ１、Ｌ２、Ｌ３の第１磁石ユニット２７１、２７２、２７５の中心軸ＣＬは、磁場軸（ｍａｇｎｅｔｉｃ  ａｘｉｓ）ＭＣ１、ＭＣ２、ＭＣ５とは位相差がある。図示のように、中心軸ＣＬと磁場軸ＭＣ１、ＭＣ２、ＭＣ５とは互いに並んでいないこともある。
【００７８】
例えば、図示のように、対応する中心軸ＣＬと磁場軸ＭＣ１、ＭＣ２、ＭＣ５との間には、それぞれθ１１、θ１２、θ１３の角度差があり得る。θ１１、θ１２、θ１３は、中心軸ＣＬを中心に、第１方向（例えば、反時計回り）に鋭角であり得る。一方、対応する中心軸ＣＬと磁場軸ＭＣ１、ＭＣ２、ＭＣ５との間の角度差θ１１、θ１２、θ１３が完全に同一であってもよい。または、角度差θ１１、θ１２、θ１３が互いに異なってもよい。または、θ１１、θ１２は互いに同一であり、θ１３はθ１１、θ１２とは異なってもよい。このような角度差は設計に応じて変更できる。
【００７９】
ここで、図５ａ、図５ｂおよび図６を参照すると、図５ａは第１磁石ユニット（例えば、２７１）の平面図である。例えば、第１磁石ユニット２７１のＮ極を示すものである。図５ｂは第１磁石ユニット２７１に磁力ベクトル波を示すものである。図５ａおよび図５ｂに示すように、第１磁石ユニット２７１は、不均衡な任意の磁場を持っており、第１磁石ユニット２７１の磁力ベクトル波ＭＶ１〜ＭＶ５、ＭＶ１１〜ＭＶ１５は不均衡的である。例えば、第１磁石ユニット２７１のＮ極でＭＶ１磁力ベクトル波が最も大きく、ＭＶ１磁力ベクトル波は一方（図面における左）に偏っていることがある。第１磁石ユニット２７１のＳ極でＭＶ１１磁力ベクトル波が最も大きく、ＭＶ１１磁力ベクトル波は他方（図面における右）に偏っていることがある。
【００８０】
磁場軸ＭＣ１は、図５ａに示すように、最も大きい磁力ベクトル波ＭＶ１を連結した連続的流れであり得る。
【００８１】
一方、不均衡な磁力ベクトル波の形状は、図４、図５ａ、図５ｂおよび図６に限定されない。例えば、図４では、中心軸ＣＬと磁場軸ＭＣ１、ＭＣ２、ＭＣ５とが互いに交差するように示しているが、これに限定されない。中心軸ＣＬと磁場軸ＭＣ１、ＭＣ２、ＭＣ５とは、互いに並んでいないことさえすれば（または位相差があれば）、異なる形状であってもよい。例えば、図５ａに示すように、第１磁石ユニット２７１が台形形状（台形と類似する形状）であれば、磁場軸が台形形状の傾いた側辺（図６ａの左側側辺または右側側辺）と並んで配置されることも可能である。すなわち、磁場軸を傾いた側辺に沿って長く形成できる。
【００８２】
図６に示すように、第１磁石ユニット２７１は、Ｎ極とＳ極とが均等でない磁力線磁場を有することができる。例えば、Ｎ極とＳ極との角度は０度〜４５度以内であり、磁力の力は３０００ガウス〜５０００ガウスであり得るが、これに限定されない。
【００８３】
次に、図７および図８を参照して回転体１２０を説明する。
【００８４】
図７は図１の回転体の第２部分を説明するための図である。図８は図７の回転体に設置された多数の第２磁石ユニットの関係を説明するための概念図である。
【００８５】
図７および図８を参照すると、回転体１２０の第２部分１２２には多数の第２磁石ユニット２２１、２２２、２２５が配置される。多数の第２磁石ユニット２２１、２２２、２２５は、軸１１０を中心に多数の列Ｌ４、Ｌ５、Ｌ６を成すことができる。よって、例えば、軸１１０から第４列Ｌ４までの距離は軸１１０から第５列Ｌ５までの距離よりも短い。図７では、３つの列Ｌ４、Ｌ５、Ｌ６を示したが、これに限定されない。多数の第２磁石ユニット２２１、２２２、２２５は、複数の列をなせばよく、例えば４つ以上の列であってもよい。
【００８６】
回転体１２０の第４列Ｌ４は第１非回転体１７０の第１列Ｌ１を眺めながら回転し、回転体１２０の第５列Ｌ５は第１非回転体１７０の第２列Ｌ２を眺めながら回転する。回転体１２０の第６列Ｌ６は第１非回転体１７０の第３列Ｌ３を眺めながら回転する。
【００８７】
各列Ｌ４、Ｌ５、Ｌ６には、互いに離隔した多数の第２磁石ユニット２２１、２２２、２２５が配置される。具体的には、第４列Ｌ４に配置された多数の第２磁石ユニット２２１の数と、第５列Ｌ５に配置された多数の第２磁石ユニット２２２の数とは同一であり得る。第４列Ｌ４には１３個の第２磁石ユニット２２１が配置され、第５列Ｌ５には１３個の第２磁石ユニット２２２が配置される。第４列Ｌ４および第５列Ｌ５には、例えば１１個〜２４個の第２磁石ユニット２２１、２２２、２２５が配置され得る。
【００８８】
一方、各列Ｌ４、Ｌ５、Ｌ６に同数の第２磁石ユニット２２１、２２２、２２５が配置されるものと図示したが、これに限定されない。設計によっては、互いに異なる数の第２磁石ユニット２２１、２２２、２２５を配置できる。例えば、第４列Ｌ４は、軸１１０と直接接する列なので、スペース上の制約があれば、第２磁石ユニット２２１の数がより少なくてもよい。
【００８９】
前述したように、第４列Ｌ４、第５列Ｌ５、第６列Ｌ６は、それぞれ第１列Ｌ１、第２列Ｌ２、第３列Ｌ３と向かい合って回転する。ところが、第１列Ｌ１に配置された多数の第１磁石ユニット２７１の数と、第４列Ｌ４に配置された多数の第２磁石ユニット２２１の数とは互いに異なる。同様に、第２列Ｌ２に配置された多数の第１磁石ユニット２７２の数と、第５列Ｌ５に配置された多数の第２磁石ユニット２２２の数とは互いに異なることができる。
【００９０】
また、第４列Ｌ４に配置された多数の第２磁石ユニット２２１間の間隔Ｗ４は、第５列Ｌ５に配置された多数の第２磁石ユニット２２２間の間隔Ｗ５よりも狭い。同様に、第５列Ｌ５に配置された多数の第２磁石ユニット２２２間の間隔Ｗ５は、第６列Ｌ６に配置された多数の第２磁石ユニット２２５間の間隔Ｗ６よりも狭い。
【００９１】
また、第４列Ｌ４と第５列Ｌ５との間の第３距離Ｐ３と、第５列Ｌ５と第６列Ｌ６との間の第４距離Ｐ４とは互いに同一であり得るが、これに限定されない。設計によっては、第１距離Ｐ３と第２距離Ｐ４とは互いに異なってもよい。
【００９２】
第４列Ｌ４の第２磁石ユニット２２１のサイズよりも第５列Ｌ５の第２磁石ユニット２２２のサイズが大きくてもよい。第５列Ｌ５の第２磁石ユニット２２２のサイズよりも第６列Ｌ６の第２磁石ユニット２２５のサイズが大きくてもよい。
【００９３】
図８に示すように、第４列Ｌ４の第２磁石ユニット２２１の中心軸ＣＬ３と、第５列Ｌ５の第２磁石ユニット２２２の中心軸ＣＬ４とは互いに並んでいない（すなわち、位相差がある。）。具体的には、第５列Ｌ５の第２磁石ユニット２２２を、第４列Ｌ４の第２磁石ユニット２２１よりも位相差を置いて後方に配置できる。第６列Ｌ６の第２磁石ユニット２２５を、第５列Ｌ５の第２磁石ユニット２２２よりも位相差を置いて後方に配置できる。または、列Ｌ４、Ｌ５、Ｌ６の第２磁石ユニット２２１、２２２、２２５の配置は、各列Ｌ１、Ｌ２、Ｌ３の第１磁石ユニット２７１、２７２、２７５の配置とは異なり、第２位相差を有することができる。例えば、第２位相差は、０でない値であってもよい。たとえば、軸を中心に外方に向かい且つ第５列Ｌ５の第２磁石ユニット２２２に接する直線ａ３は、第４列Ｌ４の第２磁石ユニット２２１、第６列Ｌ６の第２磁石ユニット２２５と接しなくてもよい。設計によっては、直線ａ３は第２磁石ユニット２２２の側壁全体とオーバーラップしないことも可能である（図２２参照）。
【００９４】
各列Ｌ４、Ｌ５、Ｌ６の第２磁石ユニット２２１、２２２、２２５の中心軸ＣＬ３、ＣＬ４、ＣＬ６は、対応する磁場軸ＭＣ３、ＭＣ４、ＭＣ６に並んでいない（すなわち、位相差がある）。たとえば、対応する中心軸ＣＬ３、ＣＬ４、ＣＬ６と磁場軸ＭＣ３、ＭＣ４、ＭＣ６との間にはθ２１、θ２２、θ２３の角度差があり得る。θ２１、θ２２、θ２３は中心軸ＣＬ３、ＣＬ４、ＣＬ６を中心に第２方向（例えば、時計回り）に鋭角であり得る。一方、対応する中心軸ＣＬ３、ＣＬ４、ＣＬ６と磁場軸ＭＣ３、ＭＣ４、ＭＣ６との角度差θ２１、θ２２、θ２３が完全に同一であってもよい。または、角度差θ２１、θ２２、θ２３が互いに異なってもよい。または、θ２１、θ２２は互いに同一であり、θ２３はθ２１、θ２２と異なってもよい。このような角度差は設計に応じて変更できる。
【００９５】
不均衡な磁力ベクトル波の形状は、図８に限定されない。例えば、図８では、中心軸ＣＬ３、ＣＬ４、ＣＬ６と磁場軸ＭＣ３、ＭＣ４、ＭＣ６とが互いに交差するように示しているが、これに限定されない。中心軸ＣＬ３、ＣＬ４、ＣＬ６と磁場軸ＭＣ３、ＭＣ４、ＭＣ６とは互いに並んでいないことさえすれば（または位相差があれば）、異なる形状であってもよい。例えば、磁石ユニット２２１が台形形状（台形に類似する形状）であれば、磁場軸が台形形状の傾斜した側辺（左側側辺または右側側辺）と並んで配置されてもよい。つまり、磁場軸を傾いた側辺に沿って長く形成できる。
【００９６】
一方、回転体１２０の第３部分１２３（磁石配置）は、回転体１２０の第２部分１２２（磁石配置）と実質的に同一である。第２非回転体１７１（磁石配置）は、第１非回転体１７０（磁石配置）と実質的に同一である。回転体１２０の第３部分１２３と第２非回転体１７１間の配置関係も、回転体１２０の第２部分１２２と第１非回転体１７０間の配置関係と実質的に同一である。
【００９７】
整理すると、第２非回転体１７１と、回転体１２０の第３部分１２３とは互いに向かい合うように配置される。第２非回転体１７１上に多数の第４磁石ユニット２７１ａ、２７２ａ、２７５ａを多数の列（例えば、３つの列）をなして配置できる。回転体１２０の第３部分１２３上に、多数の第３磁石ユニット２２１ａ、２２２ａ、２２５ａを多数の列（例えば、３つの列）をなして配置できる。
【００９８】
また、第３磁石ユニット２２１ａ、２２２ａ、２２５ａ、第４磁石ユニット２７１ａ、２７２ａ、２７５ａは不均衡磁力ベクトル波を有することができる。第３磁石ユニット２２１ａ、２２２ａ、２２５ａの中心軸と磁場軸とは互いに並んでおらず（位相差がある）、第４磁石ユニット２７１ａ、２７２ａ、２７５ａの中心軸と磁場軸とも互いに並んでいない（位相差がある）。
【００９９】
一方、設計によっては、回転体１２０上の磁石ユニット２２１、２２２、２２５、２２１ａ、２２２ａ、２２５ａの配置と、非回転体１７０、１７１上の磁石ユニット２７１、２７２、２７５、２７１ａ、２７２ａ、２７５ａの配置とが反対であってもよい。つまり、回転体１２０上の磁石ユニット２２１、２２２、２２５、２２１ａ、２２２ａ、２２５ａは互いに位相差なしに（例えば、図３と同様に）配置され、非回転体１７０、１７１上の磁石ユニット２７１、２７２、２７５、２７１ａ、２７２ａ、２７５ａは互いに位相差があるように（例えば、図７と同様に）配置できる。
【０１００】
一方、設計によっては、回転体１２０の一面に配置された磁石ユニット２２１、２２２、２２５の角度差θ２１、θ２２、θ２３と、他面に配置された磁石ユニット２２１ａ、２２２ａ、２２５ａの角度差とは互いに異なることができる。例えば、磁石ユニット２２１における、中心軸と磁場軸との間の角度差θ２１が３０°であり、他の磁石ユニット２２１ａにおける、中心軸と磁場軸との間の角度差は４０°であってもよい。
【０１０１】
また、設計によっては、回転体１２０の一面に配置された磁石ユニット２２１、２２２、２２５の配置方法と、回転体の他面に配置された磁石ユニット２２１ａ、２２２ａ、２２５ａの配置方法とは互いに異なることができる。例えば、図８において、磁石ユニット２２２が磁石ユニット２２１よりも時計回りに５°偏って配置され、磁石ユニット２２５が磁石ユニット２２２よりも時計回りに８°偏って配置されてもよい。これに対し、磁石ユニット２２２ａが磁石ユニット２２１ａよりも反時計回りに３°偏って配置され、磁石ユニット２２５が磁石ユニット２２２よりも反時計回りに１０°偏って配置されてもよい。
【０１０２】
次に、図９乃至図１５を参照して、第５磁石ユニット３２１と第６磁石ユニット３７１と導体ユニット３９１との関係を説明する。
【０１０３】
図９は第５磁石ユニットと第６磁石ユニットと導体ユニットとの関係を概略的に説明するためのものであり、図１０は回転体の第１部分に設置された多数の第５磁石ユニットを示すものであり、図１１は支持体に設置された多数の第６磁石ユニットを示すものである。図１２ａおよび図１２ｂは第５磁石ユニットの磁場を説明するための概念図である。図１３乃至図１５は第５磁石ユニットおよび／または第７磁石ユニットの配置を説明するための概念図である。
【０１０４】
まず、図９乃至図１１を参照すると、多数の第５磁石ユニット３２１は回転体１２０の第１部分１２１に設置される。第５磁石ユニット３２１は、一つの列を成すことも、多数の列を成すこともできる。第５磁石ユニット３２１は第２極性（例えば、Ｓ極）であり得る。
【０１０５】
多数の第６磁石ユニット３７１は支持体３７０に設置される。第６磁石ユニット３７１は、一つの列を成すことも、多数の列を成すこともできる。第６磁石ユニット３７１は第１極性（例えば、Ｎ極）であり得る。支持体３７０には溝３７０１が形成されており、その溝３７０１内には多数の第６磁石ユニット３７１が配置され得る。
【０１０６】
多数の導体ユニット３９１１、３９１２は第１部分１２１と支持体３７０との間に配置される。多数の導体ユニット３９１１、３９１２は、多数の第５磁石ユニット３２１と多数の第６磁石ユニット３７１との間に配置され得る。図示のように、多数の導体ユニット３９１１、３９１２を支持体３７０に固定して設置できる。
【０１０７】
一方、多数の第５磁石ユニット３２１の数と多数の第６磁石ユニット３７１の数とは互いに異なることができる。回転体１２０、支持体３７０、第５磁石ユニット３２１および第６磁石ユニット３７１の大きさに応じて、設置される多数の第５磁石ユニット３２１の数と多数の第６磁石ユニット３７１の数を変更できる。例えば、第５磁石ユニット３２１は第１部分１２１に２４個が設置され、第６磁石ユニット３７１は支持体３７０に３０個が設置され得る。
【０１０８】
また、多数の導体ユニット３９１１、３９１２の数も、多数の第５磁石ユニット３２１の数、および多数の第６磁石ユニット３７１の数とは異なり得る。例えば、多数の導体ユニット３９１１、３９１２は支持体３７０に固定されているので、多数の導体ユニット３９１１、３９１２の数は多数の第６磁石ユニット３７１の数と関わっている。例えば、多数の導体ユニット３９１１、３９１２の数：多数の第６磁石ユニット３７１＝ｎ：１（但し、ｎは１以上の自然数）であり得る。例えば、第６磁石ユニット３７１が３０個設置されると、導体ユニット３９１１、３９１２の数は６０個設置できる。
【０１０９】
ここで、図１０および図１１を参照すると、第５磁石ユニット３２１の形状と第６磁石ユニット３７１の形状とは互いに異なり得る。例えば、第５磁石ユニット３２１は台形であってもよい。つまり、台形は、一対の向かい合う辺が互いに平行である四角形を意味するので、平行四辺形や菱形などを含むことができる。
【０１１０】
例えば、図１０に示すように、第５磁石ユニット３２１が平行四辺形である場合、平行四辺形が傾いた程度αは、回転体１２０の回転速度および回転方向ＤＲによって異なり得る。
【０１１１】
図１１に示すように、第６磁石ユニット３７１は長方形であってもよい。つまり、長方形は、４角がすべて直角である四角形を意味するので、正方形も含むことができる。
【０１１２】
第５磁石ユニット３２１および第６磁石ユニット３７１の大きさは、目標生産電力量や導体ユニット３９１１、３９１２の大きさなどによって異なり得る。
【０１１３】
第５磁石ユニット３２１と第６磁石ユニット３７１の形状は、図１０および図１１に示されているものとは異なってもよい。第５磁石ユニット３２１が長方形であり、第６磁石ユニット３７１が台形であってもよい。または、第５磁石ユニット３２１および第６磁石ユニット３７１の両方が台形であってもよい。第５磁石ユニット３２１および第６磁石ユニット３７１の両方が長方形であってもよい。
【０１１４】
設計方式によっては、第５磁石ユニット３２１が平行四辺形であり、第６磁石ユニット３７１は長方形である場合が、第５磁石ユニット３２１と第６磁石ユニット３７１の両方が平行四辺形である場合、または第５磁石ユニット３２１と第６磁石ユニット３７１の両方が長方形である場合に比べてより良い電力発生効率を示すことが可能である。
【０１１５】
また、図１２ａ、図１２ｂを参照すると、前述したように、第１磁石ユニット２７１、２７２、２７５乃至第４磁石ユニット２７１ａ、２７２ａ、２７５ａは不均衡磁力ベクトル波を有するのに対し、第５磁石ユニット３２１と第６磁石ユニット３７１は均衡磁力ベクトル波を有することができる。すなわち、第５磁石ユニット（例えば、３２１）の表面から出てくるすべての磁力ベクトル波ＭＶ２１の大きさが一定であり得る。言い換えれば、第５磁石ユニット３２１は磁場軸（最も大きい磁力ベクトル波の連結線、例えば、第１磁石ユニット２７１のＭＣ１）を有しない。
【０１１６】
また、図１３に示すように、多数の第５磁石ユニット３２１のみ回転体１２０の第１部分１２１に設置できる。
【０１１７】
または、図１４および図１５に示すように、第５磁石ユニット３２１とは異なる極性の第７磁石ユニット３３２１を回転体１２０の第１部分１２１に設置できる。すなわち、図１４に示すように、第５磁石ユニット３２１と第７磁石ユニット３３２１を一つずつ交互に配置することができ、図１５に示すように、第５磁石ユニット３２１を２つ以上連続して配置した後で、異なる極性の第７磁石ユニット３３２１を配置することができる。
【０１１８】
第７磁石ユニット３３２１も、第５磁石ユニット３２１と同様に、台形形状であってもよい。
【０１１９】
図１４および図１５に示すように、第１部分１２１に第７磁石ユニット３３２１を配置すれば、第７磁石ユニット３３２１と第６磁石ユニット３７１との間には斥力が発生する。このように、第１部分１２１に適切な数の第７磁石ユニット３３２１を含ませることにより、多数の第５磁石ユニット３２１と多数の第６磁石ユニット３７１との間に発生する全体引力の大きさを調節することができる。このようにすることで、引力によって回転体１２０の回転が邪魔になることも調節することができる。
【０１２０】
次いで、図１、図３、図７および図１６を参照すると、第１非回転体１７０と回転体１２０の第２部分１２２とが互いに向かい合っているが、軸１１０から第１列Ｌ１（すなわち、第１列Ｌ１の第１磁石ユニット２７１）までの距離Ｐ１１と、軸１１０から第４列Ｌ４（すなわち、第４列Ｌ４の第２磁石ユニット２２１）までの距離Ｐ１２とは互いに異なり得る。
【０１２１】
同様に、軸１１０から第２列Ｌ２までの距離と、軸１１０から第５列Ｌ５までの距離とは互いに異なり得る。軸１１０から第３列Ｌ３までの距離と、軸１１０から第６列Ｌ６までの距離とは互いに異なり得る。
【０１２２】
特に、第１磁石ユニット２７１および第２磁石ユニット２２１がＳ極である場合、距離Ｐ１２は距離Ｐ１１よりも短くできる。
【０１２３】
同様に、軸１１０から第４磁石ユニット２７１ａまでの距離Ｐ１１ａと、軸１１０から第３磁石ユニット２２１ａまでの距離Ｐ１２ａとは互いに異なり得る。また、軸１１０から第４磁石ユニット２７２ａまでの距離と、軸１１０から第３磁石ユニット２２２ａまでの距離とは互いに異なり得る。軸１１０から第４磁石ユニット２７５ａまでの距離と、軸１１０から第３磁石ユニット２２５ａまでの距離とは互いに異なり得る。
【０１２４】
ここで、第４磁石ユニット２７１ａおよび第３磁石ユニット２２１ａがＮ極である場合、軸１１０から第４磁石ユニット２７１ａまでの距離Ｐ１１ａは軸１１０から第３磁石ユニット２２１ａまでの距離Ｐ１２ａよりも長くできる。
【０１２５】
図１６を参照すると、このように距離Ｐ１１、Ｐ１２、Ｐ１１ａ、Ｐ１２ａを調節することにより、電力生成装置の内部で磁場の大きな流れを作ることができる。
【０１２６】
多数の第４磁石ユニット２７１ａ、２７２ａ、２７５ａと多数の第３磁石ユニット２２１ａ、２２２ａ、２２５ａの互い違いの配置（すなわち、第４磁石ユニット２７１ａ、２７２ａ、２７５ａの一部と第３磁石ユニット２２１ａ、２２２ａ、２２５ａの一部とが向かい合う）によって、磁場の流れが外側（外周）から中心部へ回転しながら集中する（符号Ｍ２参照）（これを本明細書で磁場トルネードという）。
【０１２７】
また、多数の第１磁石ユニット２７１、２７２、２７５と多数の第２磁石ユニット２２１、２２２、２２５との互い違いの配置（すなわち、第１磁石ユニット２７１、２７２、２７５の一部と第２磁石ユニット２２１、２２２、２２５の一部とが向かい合う）によって、磁場の流れが中心部から回転しながら外側（外側の外周部）へ拡散する（符号Ｍ１参照）（これを本明細書で磁場サイクロンという）。
【０１２８】
つまり、回転体１２０、第１非回転体１７０、第２非回転体１７１におけるこのような磁石ユニットの配置は、「外側（外周）→回転中央→上昇中央部→（回転拡散によって）外側（外側の外周部）」の方向に「ローテーションサイクル」を形成（誘導）することができる。これは、メビウスサイクロン現象であって、磁場誘導形成を生む。
【０１２９】
磁場トルネードや磁場サイクロンなどの大きな磁場の流れは、回転体１２０の安定的な回転を助ける。連続磁場メビウス回転ルーチンを形成して回転効果を生む。
【０１３０】
ここで、回転体１２０が第１陥没部１１２０および第２陥没部１１２１を含み、第１陥没部１１２０に第２磁石ユニット２２１、２２２、２２５が配置され、第２陥没部１１２１に第３磁石ユニット２２１ａ、２２２ａ、２２５ａが配置されると、このような磁場トルネード、磁場サイクロンがさらに大きくなることができる。第１陥没部１１２０、第２陥没部１１２１があるので、第１陥没部１１２０と第２陥没部１１２１との間の間隔Ａが短くなる。よって、磁場トルネードから磁場サイクロンへ変わっていく過程を、磁場の漏れを最小限に抑えながら進行させることができる。
【０１３１】
また、回転体１２０が第１陥没部１１２０、第２陥没部１１２１を含み、第１非回転体１７０、第２非回転体１７１はそれぞれ第１突出部１１７０、第２突出部１１７１を含んでいる。このようにすることで、多数の第１磁石ユニット２７１、２７２、２７５と多数の第２磁石ユニット２２１、２２２、２２５との間隔、多数の第３磁石ユニット２２１ａ、２２２ａ、２２５ａと多数の第４磁石ユニット２７１ａ、２７２ａ、２７５ａとの間隔を安定的に調節し、多数の第１磁石ユニット２７１、２７２、２７５と多数の第２磁石ユニット２２１、２２２、２２５との間の斥力、多数の第３磁石ユニット２２１ａ、２２２ａ、２２５ａと多数の第４磁石ユニット２７１ａ、２７２ａ、２７５ａとの間の斥力を極大化することができる。また、第１陥没部１１２０が第１突出部１１７０と向かい合い、第２陥没部１１２１が第２突出部１１７１と向かい合うので、最小化された空間で回転体１２０、第１非回転体１７０および第２非回転体１７１を実現することができる。
【０１３２】
ここで、図１、図３、図７および図１７を参照して、本発明の幾つかの実施形態に係る電力生成装置の駆動方法を説明する。
【０１３３】
まず、電源供給部１９０は第１期間の間に電源を供給する。第１期間は回転体１２０／第１非回転体１７０／第２非回転体１７１の大きさや第１磁石ユニット２７１、２７２、２７５の大きさ／磁力、第２磁石ユニット２２１、２２２、２２５の大きさ／磁力、第３磁石ユニット２２１ａ、２２２ａ、２２５ａの大きさ／磁力、第４磁石ユニット２７１ａ、２７２ａ、２７５ａの大きさ／磁力、第５磁石ユニット３２１の大きさ／磁力、第６磁石ユニット３７１の大きさ／磁力などによって決定できる。
【０１３４】
第１期間は、例えば、回転体１２０が十分に回転して回転体１２０が慣性を持つことが可能な期間であり得る。例えば、電源供給部１９０は、回転体１２０が１０００〜３０００回回転する期間のみ電源を提供することができる。
【０１３５】
次いで、電源供給部１９０は第１期間後の第２期間の間に電源を供給しない。電源を供給しなくても、回転体１２０は磁場サーフィン（ｍａｇｎｅｔｉｃ  ｆｉｅｌｄ  ｓｕｒｆｉｎｇ）動作を利用して継続的に回転することができる。
【０１３６】
第２期間の後に、さらに電源供給部１９０が電源を供給することができる。このように、電源供給部１９０が電源を供給／遮断する動作を周期的に繰り返すことができる。
【０１３７】
一方、回転体１２０のサーフィン動作が円滑でない場合（または所望の程度のサーフィン動作が行われない場合）には、第１非回転体１７０と回転体１２０との間の間隔、第２非回転体１７１と回転体１２０との間の間隔を調整して再び試して見ることができる。
【０１３８】
このように回転する間に、多数の導体ユニット３９１に電流が誘導され、その結果として電力を生成できる。生成された電力は外部へ出力されることも可能である。または、生成された電力の一部は電源供給部１９０に再び貯蔵されることも可能である。
【０１３９】
一方、磁場サーフィン動作を、図１７を参照してより具体的に説明すると、時間ｔ１において、第１列Ｌ１の第１磁石ユニット２７１と第４列Ｌ４の第２磁石ユニット２２１とが互いに交差しながら（または互いにオーバーラップしながら）、第１斥力ＲＰ１が発生し始める。
【０１４０】
第１斥力ＲＰ１は、第１磁石ユニット２７１と第２磁石ユニット２２１との交差面積（オーバーラップ面積）が広いほど大きくなるので、回転体１２０が回転しながら、第１斥力ＲＰ１はさらに大きくなる。
【０１４１】
時間ｔ２において、第２列Ｌ２の第１磁石ユニット２７２と第５列Ｌ５の第２磁石ユニット２２２とが互いに交差しながら（または互いにオーバーラップしながら）、第２斥力ＲＰ２が発生し始める。これは、第５列Ｌ５の第２磁石ユニット２２２が第４列Ｌ４の第２磁石ユニット２２１よりも位相差を置いて後方に配置されているからである。
【０１４２】
全体斥力ＲＰｔは、時間ｔ１および時間ｔ２を過ぎながらますます強くなることができる。すなわち、時間ｔ１および時間ｔ２を過ぎながら、回転体１２０はさらに強く回転することができる。
【０１４３】
時間ｔ３において、第３列Ｌ３の第１磁石ユニット２７５と第６列Ｌ６の第２磁石ユニット２２５とが互いに交差しながら（または互いにオーバーラップしながら）、第３斥力ＲＰ３が発生し始める。
【０１４４】
整理すると、第４列Ｌ４の第２磁石ユニット２２１が第１列Ｌ１の第１磁石ユニット２７１とオーバーラップし始める時点と、第５列Ｌ５の第２磁石ユニット２２２が第２列Ｌ２の第１磁石ユニット２７２とオーバーラップし始める時点とが互いに異なる。よって、前述したように、回転体１２０の回転磁力ベクトル波で、第１非回転体１７０、第２非回転体１７１の固定磁力ベクトル波をサーフィンするのである。また、θ１１、θ１２、θ１３は中心軸ＣＬを中心に反時計回りに鋭角であり、θ２１、θ２２、θ２３は中心軸ＣＬ３、ＣＬ４、ＣＬ６を中心に時計回りに鋭角であり得る。このような構成により、回転体１２０が回転するとき、回転体１２０の回転磁力ベクトル波と第１非回転体１７０、第２非回転体１７１の固定磁力ベクトル波とは連続回転によって互いに連結される。
【０１４５】
このように安定的に、少ない電源供給部１９０の電源を基に、回転体１２０は第１非回転体１７０と第２非回転体１７１との間で回転することができる。
【０１４６】
本発明の幾つかの実施形態に係る電力生成装置は、支持体３７０上に電力を生成することが可能な導体ユニット３９１を配置することにより、電力生成装置のサイズを非常に減らすことができる。すなわち、回転装置と、前記回転装置から回転力を受けて電力を生成する別の装置とを備えるのではなく、一つの装置にマージ（ｍｅｒｇｅ）されている。すなわち、１つの装置に内蔵されて実現され得る。よって、電力生成装置のサイズを相当減らすことができる。
【０１４７】
また、図１乃至図１７では、回転体１２０の両側に非回転体１７０、１７１が配置されるものと説明したが、これに限定されるものではない。つまり、回転体１２０の一側にのみ非回転体（例えば、１７０）が配置されてもよい。このような場合にも、多数の第１磁石ユニット２７１、２７２、２７５は第１非回転体１７０に設置され、多数の第２磁石ユニット２２１、２２２、２２５は第２部分１２２に設置される。多数の第５磁石ユニット３２１は第１部分１２１に設置され、多数の第６磁石ユニット３７１は支持体３７０に設置される。第１磁石ユニット２７１、２７２、２７５と第２磁石ユニット２２１、２２２、２２５との間には斥力が発生し、第５磁石ユニット３２１と第６磁石ユニット３７１との間には引力が発生する。多数の導体ユニット３９１は、第１部分１２１と支持体３７０との間に配置され、誘導電流が生成される。また、第１磁石ユニット２７１、２７２、２７５および第２磁石ユニット２２１、２２２、２２５は不均衡磁力ベクトル波を有し、第１磁石ユニット２７１、２７２、２７５の中心軸と磁場軸とは位相差があり、第２磁石ユニット２２１、２２２、２２５の中心軸と磁場軸とは位相差がある。また、第５磁石ユニット３２１と第６磁石ユニット３７１は均衡磁力ベクトル波を有する。
【０１４８】
図１８は本発明の他の実施形態に係る電力生成装置を説明するための図である。説明の便宜上、図１乃至図１６を参照して、説明したのと異なる点を中心に説明する。
【０１４９】
図１８を参照すると、本発明の他の実施形態に係る電力生成装置において、回転体１２０の第２部分１２２（第１陥没部１１２０）および第３部分１２３（第２陥没部１１２１）が階段状であり得る。また、第１非回転体１７０（第１突出部１１７０）および第２非回転体１７１（第２突出部１１７１）も階段状を含むことができる。
【０１５０】
具体的には、第１陥没部１１２０および第２陥没部１１２１は、軸１１０から外側に行くほど上がる階段状であり得る。第１突出部１１７０および第２突出部１１７１は、第１陥没部１１２０及び第２陥没部１１２１に相補的に、軸１１０から外側に行くほど下がる階段状であり得る。
【０１５１】
また、第１部分１２１に溝が形成されており、その溝内には多数の第５磁石ユニット３２１が配置されることも可能である。
【０１５２】
図１９乃至図２２は本発明の他の実施形態に係る電力生成装置を説明する図である。説明の便宜上、図１乃至図１６を参照して、説明したのと異なる点を中心に説明する。
【０１５３】
図１９は第１非回転体を説明する図であり、回転体の第２部分と向かい合う面であり得る。図２０は図１９の非回転体に設置された多数の第１磁石ユニットの関係を説明するための概念図である。図２１は回転体を説明する図であって、第１非回転体と向かい合う面であり得る。図２２は図２１の非回転体に設置された多数の第２磁石ユニットの関係を説明するための概念図である。
【０１５４】
まず、図１９を参照すると、各列Ｌ１、Ｌ２、Ｌ３には、互いに離隔した多数の第１磁石ユニット２７１、２７２、２７５が配置される。具体的には、第１列Ｌ１に配置された多数の第１磁石ユニット２７１の数と、第２列Ｌ２に配置された多数の第１磁石ユニット２７２の数とは同一であってもよい。例えば、各列Ｌ１、Ｌ２、Ｌ３には１８個の第１磁石ユニット２７１、２７２、２７５を配置できる。
【０１５５】
図２１を参照すると、各列Ｌ４、Ｌ５、Ｌ６には、互いに離隔した多数の第２磁石ユニット２２１、２２２、２２５が配置される。各列Ｌ４、Ｌ５、Ｌ６に配置された多数の第２磁石ユニット２２１、２２２、２２５の数は互いに異なる。
【０１５６】
前述したように、第１列Ｌ１の少なくとも一部と第４列Ｌ４の少なくとも一部とが向かい合い、第２列Ｌ２の少なくとも一部と第５列Ｌ５の少なくとも一部とが向かい合い、第３列Ｌ３の少なくとも一部と第６列Ｌ６の少なくとも一部とが向かい合うことができる。
【０１５７】
このような場合、回転体１２０の多数の列Ｌ４、Ｌ５、Ｌ６のうちのいずれか一列（例えば、Ｌ４）に配置される第２磁石ユニット２２１の数と、向かい合う列（例えば、Ｌ１）に配置される第１磁石ユニット２７１の数とは互いに同一であり得る。
【０１５８】
また、回転体１２０の多数の列Ｌ４、Ｌ５、Ｌ６のうちの残りの列（例えば、Ｌ５、Ｌ６）に配置される第２磁石ユニット２２２、２２５の数は、向かい合う列（たとえば、Ｌ２、Ｌ３）に配置される第１磁石ユニット２７２、２７５の数とは異なり得る。特に、残りの列（例えば、Ｌ５、Ｌ６）のうちのいずれか一列（例えば、Ｌ５）に配置される第２磁石ユニット２２２の数は、向かい合う列（例えば、Ｌ２）に配置される第１磁石ユニット２７２よりも小さくてもよい。これに対し、残りの列（例えば、Ｌ５、Ｌ６）のうちのいずれか一列（例えば、Ｌ６）に配置される第２磁石ユニット２２５の数は、向かい合う列（例えば、Ｌ３）に配置される第１磁石ユニット２７５より大きくてもよい。
【０１５９】
例えば、第１非回転体１７０の各列Ｌ１、Ｌ２、Ｌ３には、それぞれ１８個の第１磁石ユニット２７１、２７２、２７５が配置される。回転体１２０の第４列Ｌ４に配置された第２磁石ユニット２２１の数は１８個、第５列Ｌ５に配置された第２磁石ユニット２２２の数は１６個、第６列Ｌ６に配置された第２磁石ユニット２２５の数は２０個であってもよい。ここで、具体的な数は例示的なものに過ぎない。
【０１６０】
一方、図７において、回転体１２０の各列Ｌ４、Ｌ５、Ｌ６に配置された第２磁石ユニット２２１、２２２、２２５は、互いに位相差があるように配置された。これに対し、図２１において、２つのポイントＰＢ１、ＰＢ２で３つの第２磁石ユニット２２１、２２２、２２５が同時に開始するように配置される。すなわち、３つの第２磁石ユニット２２１、２２２、２２５の一側壁（左側側壁）を実質的に並んでいるように配置できる。
【０１６１】
例えば、第４列Ｌ４に配置された第２磁石ユニット２２１の大きさ（または幅）、および隣接する第２磁石ユニット２２１間の間隔Ｗ４が一定である。第５列Ｌ５に配置された第２磁石ユニット２２２の大きさ（または幅）、および隣接する第２磁石ユニット２２２間の間隔Ｗ５が一定である。第６列Ｌ６に配置された第２磁石ユニット２２５の大きさ（または幅）、および隣接する第２磁石ユニット２２５間の間隔Ｗ６が一定である。各列に配置される第２磁石ユニット２２１、２２２、２２５の数が互いに異なる。これらの条件が満足される場合、これらのポイントＰＢ１、ＰＢ２は、回転体１２０の各列Ｌ４、Ｌ５、Ｌ６に配置された第２磁石ユニット２２１、２２２、２２５の数の最大公約数によって異なり得る。具体的には、各列Ｌ４、Ｌ５、Ｌ６に配置された第２磁石ユニット２２１、２２２、２２５の数は、互いに同一ではなく、２つ以上の最大公約数を有することができる。図２１では、１８、１６、２０の最大公約数が２であるので、２つのポイントＰＢ１、ＰＢ２が生じうる。例えば、各列Ｌ４、Ｌ５、Ｌ６の数が１６、１２、２０であれば、最大公約数が４であるので、４つのポイントが生じうる。
【０１６２】
図２０を参照すると、軸１１０を中心に外方へ向かう２本の直線ａ１、ａ２を引いたとき、第１列Ｌ１の第１磁石ユニット２７１の側壁の一部、第２列Ｌ２の第１磁石ユニット２７２の側壁の一部、第３列Ｌ３の第１磁石ユニット２７５の側壁の一部が２本の直線ａ１、ａ２に接することができる。例えば、各第１磁石ユニット２７１、２７２、２７５の側壁が直線ａ１、ａ２よりもさらに傾いた形態であるからである。
【０１６３】
同様に、図２２を参照すると、軸１１０を中心に外方へ向かう直線ａ３は、第４列Ｌ４の第２磁石ユニット２２１の側壁の一部と接することができる。軸１１０を中心に外方へ向かう直線ａ４は、第５列Ｌ５の第２磁石ユニット２２２の側壁の一部と接することができる。軸１１０を中心に外方へ向かう直線ａ６は、第６列Ｌ６の第２磁石ユニット２２５の側壁の一部と接することができる。
【０１６４】
図２３は本発明の他の実施形態に係る電力生成装置を説明するための図である。図１乃至図２２を参照して、説明した電力生成装置を具体的に実現した例示製品である。
【０１６５】
図２３および図２４はそれぞれ、本発明の他の実施形態に係る電力生成装置の斜視図および側面図であり、図２５は図２４のＡ−Ａに沿った断面図である。
【０１６６】
図２３および図２４を参照すると、本発明の他の実施形態に係る電力生成装置は、軸２１１０、回転体２１２０、第１非回転体２１７０、第２非回転体２１７１、第１ハンドル２４１０、第２ハンドル２４２０、ボールねじ（ｂａｌｌ  ｓｃｒｅｗ）２４１１、２４１２、２４１３、２４１４、ベアリングホルダー（ｂｅａｒｉｎｇ  ｈｏｌｄｅｒ）２２２２、ベベルシャフト（ｂｅｖｅｌ  ｓｈａｆｔ）２２２４、２２２８、ベベルギア（ｂｅｖｅｌ  ｇｅａｒ）２２２６、レベリングフット（ｌｅｖｅｌｉｎｇ  ｆｏｏｔ）２６１０、下部支持台２３１０、中間支持台２３１５、上部支持台２３２０、クラッチ（ｃｌｕｔｃｈ）２５１０、２５２０、モーター２００１、ガイドシャフト２３０７などを含むことができる。
【０１６７】
下部支持台２３１０と上部支持台２３２０との間にガイドシャフト２３０７が配置される。ガイドシャフト２３０７は、下部支持台２３１０と上部支持台２３２０との間を離隔させるために配置される。例えば、ガイドシャフト２３０７は、４つであり、下部支持台２３１０の角と上部支持台２３２０の角に配置できる。レベリングフット２６１０は下部支持台２３１０の高さを調整することができる。
【０１６８】
上部支持台２３２０上にクラッチ２５１０とモーター２００１を配置できる。クラッチ２５１０のオン／オフ動作によって、モーター２００１が回転するか或いは回転しない。バッテリーは、モーター２００１の内部に含まれてもよく、モーター２００１の外部に配置されてもよい。また、モーター２００１はＤＣモーターであり得るが、これに限定されない。
【０１６９】
下部支持台２３１０と上部支持台２３２０との間の空間に、第１非回転体２１７０、第２非回転体２１７１、回転体２１２０、軸２１１０などの構成要素を配置できる。軸１１０はモーター２００１に連結される。モーター２００１の動作に応じて軸１１０が回転する。図１乃至図２２を参照して説明したように、モーター２００１は、第１期間の間にオン状態になって動作し、第１期間後の第２期間の間にオフ状態になる。モーター２００１がオフ状態である間に、回転体２１２０は磁場サーフィン動作によって回転することができる。
【０１７０】
第１ハンドル２４１０を回転させて第１非回転体２１７０の位置（すなわち、第１非回転体２１７０と回転体２１２０との間の間隔）を調整することができる。同様に、第２ハンドル２４２０を回転させて第２非回転体２１７１の位置（すなわち、第２非回転体２１７１と回転体２１２０との間の間隔）を調整することができる。
【０１７１】
例えば、第２ハンドル２４２０を回転させると、ベベルシャフト２２２４が回転し、ベベルギア２２２６が回転する。ベベルギア２２２６を媒介としてベベルシャフト２２２８も回転する。ボールねじ２４１３、２４１４はベベルシャフト２２２８の回転運動を第２非回転体２１７１の直線運動（上下運動）に変える。
【０１７２】
説明の便宜上、図２３乃至図２５において、多数の第１磁石ユニット２７１、２７２、２７５、多数の第２磁石ユニット２２１、２２２、２２５、多数の第３磁石ユニット２２１ａ、２２２ａ、２２５ａ、多数の第４磁石ユニット２７１ａ、２７２ａ、２７５ａ、多数の第５磁石ユニット３２１、多数の第６磁石ユニット３７１、多数の導体ユニット３９１などを別途図示しない。
【０１７３】
第１非回転体１７０上には、図３または図１９に示すように、多数の第１磁石ユニット２７１、２７２、２７５を多数の列を成して配置できる。第２非回転体１７１上には、図３または図１９に示すように、多数の第４磁石ユニット２７１ａ、２７２ａ、２７５ａを多数の列を成して配置できる。
【０１７４】
回転体２１２０の第２部分１２２（例えば、上面）上には、多数の第２磁石ユニット２２１、２２２、２２５を図７または図２１に示すように配置できる。同様に、回転体２１２０の第３部分１２３（たとえば、下面）上には、多数の第２磁石ユニット２２１、２２２、２２５を図７または図２１に示すように配置できる。
【０１７５】
回転体２１２０の第１部分１２１（例えば、側面）上には、多数の第５磁石ユニット３２１を図１０、図１３乃至図１５に示すように配置できる。中間支持台２３１５には溝が形成され、溝内には多数の第６磁石ユニット３７１を図１１に示すように配置できる。
【０１７６】
一方、第５磁石ユニット３２１、第６磁石ユニット３７１、導体ユニット３９１を除いて回転装置を実現することができる。第５磁石ユニット３２１、第６磁石ユニット３７１、導体ユニット３９１を除けば、回転装置は電気を生産することができない。よって、このような回転装置には他の発電機を連結し、回転装置の回転を利用して発電機が発電を行うようにする。例えば、回転装置と発電機とを機械的に連結することができる。例えば、ベルトで連結してもよく、金属の構造体で直接連結してもよい。例えば、回転装置の軸１１０が回転することにより、発電機のプーリー（ｐｕｌｌｅｙ）などが一緒に回転し、これにより、発電機は電気を生産することができる。発電機は、商用化された製品を使用することができる。このような回転装置の実現例は、第５磁石ユニット３２１、第６磁石ユニット３７１、導体ユニット３９１を設置しないことを除いては、図２３乃至図２５に示された形状と同様に実現することができる。例えば、米国公開特許ＵＳ２０１６／０１４１９４６Ａ１の図１５乃至図１８と類似の構成になれる。
【０１７７】
図２６乃至図２８は本発明の幾つかの実施形態に係る駆動システムに適用できる磁石ユニットの形状を説明するための図である。図２６乃至図２８で説明される磁石ユニットは、回転体１２０、非回転体１７０、１７１などに使用できる。
【０１７８】
まず、図２８を参照すると、磁石ユニットは、多数の高さＥ１、Ｅ１１、Ｅ１２、Ｅ１３のうちの少なくとも２つが互いに異なる高さを有することができる。
【０１７９】
例えば、４つの互いに異なる高さＥ１、Ｅ１１、Ｅ１２、Ｅ１３を有することができる。図示の如く、Ｅ１１＜Ｅ１３＜Ｅ１２＜Ｅ１であり得る。
【０１８０】
または、磁石ユニットは、３つの互いに異なる高さＥ１、Ｅ１１、Ｅ１２、Ｅ１３を有することができる。例えば、Ｅ１１＝Ｅ１３＜Ｅ１２＜Ｅ１であってもよく、Ｅ１１＜Ｅ１３＝Ｅ１２＜Ｅ１であってもよく、Ｅ１１＜Ｅ１３＜Ｅ１２＝Ｅ１であってもよい。
【０１８１】
または、磁石ユニットは、２つの互いに異なる高さＥ１、Ｅ１１、Ｅ１２、Ｅ１３を有することができる。例えば、Ｅ１１＝Ｅ１３＜Ｅ１２＝Ｅ１であってもよく、Ｅ１１＜Ｅ１３＝Ｅ１２＜Ｅ１であってもよい。
【０１８２】
磁石ユニットの高さＥ１、Ｅ１１、Ｅ１２、Ｅ１３を一定にしなければ、六面体状の磁石ユニットの上面の方向を調節することができる。このようにすることで、磁石ユニットから発散する磁力の方向を調節することができる。
【０１８３】
また、回転方向Ｆは、時計回りに図示したが、これに限定されない。
【０１８４】
一方、図２６に示すように、各列に配置された磁石ユニット１２２１、１２２２、１２２５は、互いに異なる高さＥ１、Ｅ２、Ｅ３、および互いに異なる幅Ｄ１、Ｄ２、Ｄ３を有することもできる。このような形状は、各列Ｌ１、Ｌ２、Ｌ３に配置された第１磁石ユニット（図３の２７１、２７２、２７５）、各列Ｌ４、Ｌ５、Ｌ６に配置された第２磁石ユニット（図７の２２１、２２２、２２５）に適用することができる。例えば、磁石ユニット１２２１、１２２２、１２２５は、軸１１０から遠くなるほど高さが低くなることがきる（すなわち、Ｅ１＞Ｅ２＞Ｅ３）。
【０１８５】
また、図２７に示すように、各列に配置された磁石ユニット１２２１、１２２２、１２２５それぞれは、少なくとも２つの互いに異なる高さを含むことができる。例えば、磁石ユニット１２２１は高さＥ１、Ｅ１１を含み、第２磁石ユニット１２２２は高さＥ２、Ｅ１２を含み、第２磁石ユニット１２２５は高さＥ３、Ｅ１３を含む。ここで、Ｅ１＞Ｅ１１、Ｅ２＞Ｅ１２、Ｅ３＞Ｅ１３であり得る。このような形状は、各列Ｌ１、Ｌ２、Ｌ３に配置された第１磁石ユニット（図４の２７１、２７２、２７５）、各列Ｌ４、Ｌ５、Ｌ６に配置された第２磁石ユニット（図８の２２１、２２２、２２５）に適用することができる。また、回転方向Ｆは、時計回りに図示したが、これに限定されない。
【０１８６】
以上、添付図面を参照して本発明の実施形態を説明したが、本発明の属する技術分野における通常の知識を有する者は、本発明がその技術的思想や必須的な特徴を変更せず、他の具体的な形態で実施できるということを理解することができるだろう。よって、以上で記述した実施例は、あらゆる面で例示的なもので、限定的なものではないと理解すべきである。
【符号の説明】
【０１８７】
１１０    軸
１２０    回転体
１７０    第１非回転体
１７１    第２非回転体
２７１、２７２、２７５    第１磁石ユニット
２２１、２２２、２２５    第２磁石ユニット
２２１ａ、２２２ａ、２２５ａ    第３磁石ユニット
２７１ａ、２７２ａ、２７５ａ    第４磁石ユニット
３２１    第５磁石ユニット
３７１    第６磁石ユニット
３９１    導体ユニット
１９０    電源供給部
１９９    制御部
【図１】
2018533902.tif 000003
【図２】
2018533902.tif 000004
【図３】
2018533902.tif 000005
【図４】
2018533902.tif 000006
【図５ａ】
2018533902.tif 000007
【図５ｂ】
2018533902.tif 000008
【図６】
2018533902.tif 000009
【図７】
2018533902.tif 000010
【図８】
2018533902.tif 000011
【図９】
2018533902.tif 000012
【図１０】
2018533902.tif 000013
【図１１】
2018533902.tif 000014
【図１２ａ】
2018533902.tif 000015
【図１２ｂ】
2018533902.tif 000016
【図１３】
2018533902.tif 000017
【図１４】
2018533902.tif 000018
【図１５】
2018533902.tif 000019
【図１６】
2018533902.tif 000020
【図１７】
2018533902.tif 000021
【図１８】
2018533902.tif 000022
【図１９】
2018533902.tif 000023
【図２０】
2018533902.tif 000024
【図２１】
2018533902.tif 000025
【図２２】
2018533902.tif 000026
【図２３】
2018533902.tif 000027
【図２４】
2018533902.tif 000028
【図２５】
2018533902.tif 000029
【図２６】
2018533902.tif 000030
【図２７】
2018533902.tif 000031
【図２８】
2018533902.tif 000032
【国際調査報告】
2018533902.tif 000033
2018533902.tif 000034
2018533902.tif 000035
2018533902.tif 000036